(57)【要約】      （修正有）【課題】構造を複雑にすることなく、外装の種類が異なる場合でも十分なアラーム音の音量が得られ、かつ、同じ製品の場合には駆動周波数を一定にできる電子時計を提供する。【解決手段】裏蓋を振動板としてアラームを鳴らす電子時計であって、電子時計のムーブメントに、外装に応じたアラーム駆動周波数を有する複数のアラーム駆動信号を発生させるアラーム駆動信号発生部としてのアラーム駆動信号発生回路３２と、複数のアラーム駆動信号のうちの一のアラーム駆動信号を選択するアラーム駆動信号選択部としてのアラーム駆動信号選択回路３３と、選択されたアラーム駆動信号に基づいてアラームを鳴らすアラーム鳴鐘部Ａを備える。【選択図】図４
2017173086.tif 000002
【特許請求の範囲】
【請求項１】
裏蓋を含む外装と、
前記外装に収納される構造体と、を備え、
前記裏蓋を振動板としてアラームを鳴らす電子時計であって、
前記構造体は、
前記外装に応じたアラーム駆動周波数を有する複数のアラーム駆動信号を発生させるアラーム駆動信号発生部と、
前記複数のアラーム駆動信号のうちの一のアラーム駆動信号を選択するアラーム駆動信号選択部と、
選択された前記アラーム駆動信号に基づいてアラームを鳴らすアラーム鳴鐘部と、を備える、
ことを特徴とする電子時計。
【請求項２】
前記外装の内側には、当該外装に応じた識別パターンを示す識別マーク部が設けられており、
前記構造体は、前記識別パターンを識別する識別部を備え、
前記アラーム駆動信号選択部は、前記識別部により識別された前記識別パターンに基づいて、前記複数のアラーム駆動信号のうちの一のアラーム駆動信号を選択する、
ことを特徴とする請求項１に記載の電子時計。
【請求項３】
前記識別マーク部は、前記外装の内部で前記構造体に対向する前記裏蓋の面に設けられている、
ことを特徴とする請求項２に記載の電子時計。
【請求項４】
前記識別マーク部は、同心円状に形成された識別マークの有無により前記識別パターンを示す、
ことを特徴とする請求項３に記載の電子時計。
【請求項５】
前記識別マーク部は、絶縁部材で形成された識別マークの有無により前記識別パターンを示す、
ことを特徴とする請求項４に記載の電子時計。
【請求項６】
前記識別マーク部は、光学的性質の異なる識別マークの有無により前記識別パターンを示し、
前記識別部は、光学的に前記識別マークの有無を識別する光学的識別部である、
ことを特徴する請求項２ないし請求項４のいずれか一に記載の電子時計。
【請求項７】
前記アラーム駆動信号選択部は、前記外装に応じた電位が与えられるボンディングオプション用端子を備える、
ことを特徴する請求項１に記載の電子時計。
【請求項８】
前記構造体には前記外装に応じた識別データを書き込み可能な不揮発性メモリーが備えられており、前記アラーム駆動信号選択部は前記不揮発性メモリーから読み出した前記識別データに応じて前記複数のアラーム駆動信号のうちの一のアラーム駆動信号を選択する、
ことを特徴する請求項１に記載の電子時計。
【請求項９】
前記識別マーク部は、前記裏蓋に設けられる凸部で形成された識別マークの有無により前記識別パターンを示す、
ことを特徴する請求項３に記載の電子時計。
【請求項１０】
前記識別マーク部は、前記裏蓋に設けられる凹部で形成された識別マークの有無により前記識別パターンを示す、
ことを特徴する請求項３に記載の電子時計。
【発明の詳細な説明】
【技術分野】
【０００１】
本発明は、アラーム機能付きの電子時計に関する。
【背景技術】
【０００２】
従来から、裏蓋に圧電素子を取り付け、アラーム音を発生させる電子時計が提供されている。このような電子時計においては、圧電素子を駆動させる駆動周波数と、裏蓋の共振周波数とを近接させることにより、アラーム音として必要な音量を確保している。
したがって、裏蓋を含む電子時計の外装の種類が変わると、裏蓋の共振周波数と前記駆動周波数との間にずれが生じ、十分なアラーム音の音量が得られないことがある。
そこで、例えば特許文献１においては、電子時計にマイク等の音圧センサーを設けると共に、複数の駆動周波数を用意しておき、アラーム音を音圧センサーにより検出して、音圧レベルが最大となる駆動周波数を選択する技術が開示されている。
【先行技術文献】
【特許文献】
【０００３】
【特許文献１】特開昭５９−２６７９２号公報
【発明の概要】
【発明が解決しようとする課題】
【０００４】
しかしながら、特許文献１においては、音圧センサー等の検出手段が必要になるため、構造が複雑になる。また、裏蓋の共振周波数は、電子時計の腕への装着状態、並びに裏蓋の外装に対する締め付けの強さ等によっても変化する。したがって、特許文献１では、同じ製品でも駆動周波数が変化して不自然になることが考えられる。
本発明は、このような事情を考慮して、構造を複雑にすることなく、外装の種類が異なる場合でも十分なアラーム音の音量が得られ、かつ、同じ製品の場合には駆動周波数を一定にできる電子時計を提供することを解決課題としている。
【課題を解決するための手段】
【０００５】
以上の課題を解決するため、本発明に係る電子時計の一態様は、裏蓋を含む外装と、前記外装に収納される構造体と、を備え、前記裏蓋を振動板としてアラームを鳴らす電子時計であって、前記構造体は、前記外装に応じたアラーム駆動周波数を有する複数のアラーム駆動信号を発生させるアラーム駆動信号発生部と、前記複数のアラーム駆動信号のうちの一のアラーム駆動信号を選択するアラーム駆動信号選択部と、選択された前記アラーム駆動信号に基づいてアラームを鳴らすアラーム鳴鐘部と、を備えることを特徴とする。
【０００６】
この態様によれば、アラーム駆動信号選択部は、一のアラーム駆動信号を複数のアラーム駆動信号から選択する。複数のアラーム駆動信号は、アラーム駆動信号発生部から発生されており、前記外装に応じたアラーム駆動周波数を有している。アラーム鳴鐘部は、選択されたアラーム駆動信号、即ち、外装に応じたアラーム駆動信号に基づいてアラームを鳴らす。したがって、外装の種類が異なる場合でも、外装に応じたアラーム駆動信号が用いられることになり、十分なアラーム音の音圧が確保される。また、共通の構造体を異なる種類の外装に対して用いることが可能となり、コストを低減させる。さらに、外装の種類が同じ場合には、同一のアラーム駆動信号が用いられるので、同一の製品においてアラーム駆動信号が異なるという不自然さが防止される。
【０００７】
前記電子時計の一態様において、前記外装の内側には、当該外装に応じた識別パターンを示す識別マーク部が設けられており、前記構造体は、前記識別パターンを識別する識別部を備え、前記アラーム駆動信号選択部は、前記識別部により識別された前記識別パターンに基づいて、前記複数のアラーム駆動信号のうちの一のアラーム駆動信号を選択してもよい。この態様によれば、外装の内側に設けられた識別マーク部によって示される識別パターンが識別部によって識別される。識別された識別パターンは、外装に応じたパターンとなっている。アラーム駆動信号選択部は、識別された識別パターンに基づいて、即ち、識別パターンが対応する外装に応じたアラーム駆動信号を、複数のアラーム駆動信号から選択する。複数のアラーム駆動信号は、アラーム駆動信号発生部から発生されており、前記外装に応じたアラーム駆動周波数を有している。アラーム鳴鐘部は、選択されたアラーム駆動信号、即ち、識別パターンが対応する外装に応じたアラーム駆動信号に基づいてアラームを鳴らす。したがって、外装の種類が異なる場合でも、外装に応じたアラーム駆動信号が用いられることになり、十分なアラーム音の音圧が確保される。また、共通の構造体を異なる種類の外装に対して用いることが可能となり、コストを低減させる。さらに、外装の種類が同じ場合には、同一のアラーム駆動信号が用いられるので、同一の製品においてアラーム駆動信号が異なるという不自然さが防止される。
【０００８】
前記電子時計の一態様において、前記識別マーク部は、前記外装の内部で前記構造体に対向する前記裏蓋の面に設けられていてもよい。この態様によれば、外装の種類に応じて、当該外装に含まれる裏蓋の面に、識別マーク部が設けられる。したがって、音圧センサー等の部品を用いることなく、簡易な構成により外装の識別が可能となり、構造の複雑化を防ぐ。
【０００９】
前記電子時計の一態様において、前記識別マーク部は、同心円状に形成された識別マークの有無により前記識別パターンを示してもよい。この態様によれば、識別マークが同心円状に形成されているので、ねじ締め型の裏蓋を用いた場合でも、識別部によって識別パターンが確実に識別される。したがって、確実に外装の識別が可能となり、外装の種類が異なる場合でも、外装に応じたアラーム駆動信号を用いて十分なアラーム音の音圧が確保される。
【００１０】
前記電子時計の一態様において、前記識別マーク部は、絶縁部材で形成された識別マークの有無により前記識別パターンを示してもよい。この態様によれば、絶縁部材で形成された識別マークと識別部とが接触した場合に接触箇所の電位が変化することになり、簡易な構成で識別パターンの識別が可能となる。したがって、音圧センサー等の部品を用いることなく、簡易な構成により外装の識別が可能となり、構造の複雑化を防ぐ。
【００１１】
前記電子時計の一態様において、前記識別マーク部は、光学的性質の異なる識別マークの有無により前記識別パターンを示し、前記識別部は、光学的に前記識別マークの有無を識別する光学的識別部であってもよい。この態様によれば、裏蓋に設けられた光学的性質の異なる識別マークを光学的識別部で読み取ることにより、識別パターンの識別が可能となる。したがって、確実に外装の識別が可能となり、外装の種類が異なる場合でも、外装に応じたアラーム駆動信号を用いて十分なアラーム音の音圧が確保される。
【００１２】
前記電子時計の一態様において、前記アラーム駆動信号選択部は、前記外装に応じた電位が与えられるボンディングオプション用端子を備えてもよい。この態様によれば、ボンディングオプション用端子を、例えばＧＮＤ電位とすることにより、または電気的に開放とすることにより、選択状態を決めることができる。したがって、アラーム駆動信号選択部は、ボンディングオプション用端子の電位に応じて、複数のアラーム駆動信号のうちの一のアラーム駆動信号を選択することが可能となる。その結果、音圧センサー等の部品を用いることなく、簡易な構成により外装の識別が可能となり、構造の複雑化を防ぐ。
【００１３】
前記電子時計の一態様において、前記構造体には前記外装に応じた識別データを書き込み可能な不揮発性メモリーが備えられており、前記アラーム駆動信号選択部は前記不揮発性メモリーから読み出した前記識別データに応じて前記複数のアラーム駆動信号のうちの一のアラーム駆動信号を選択してもよい。この態様によれば、アラーム駆動信号選択部は不揮発性メモリーから外装に応じた識別データを読み出し、読み出した識別データに応じて複数のアラーム駆動信号のうちの一のアラーム駆動信号を選択する。したがって、確実に外装の識別が可能となり、外装の種類が異なる場合でも、外装に応じたアラーム駆動信号を用いて十分なアラーム音の音圧が確保される。
【００１４】
前記電子時計の一態様において、前記識別マーク部は、前記裏蓋に設けられる凸部で形成された識別マークの有無により前記識別パターンを示してもよい。この態様によれば、識別マークが裏蓋に設けられた凸部なので、裏蓋における識別マークの位置が確実に特定される。その結果、裏蓋に対向する構造体に設けられた識別部によって確実に識別パターンが読み取られる。したがって、確実に外装の識別が可能となり、外装の種類が異なる場合でも、外装に応じたアラーム駆動信号を用いて十分なアラーム音の音圧が確保される。
【００１５】
前記電子時計の一態様において、前記識別マーク部は、前記裏蓋に設けられる凹部で形成された識別マークの有無により前記識別パターンを示してもよい。この態様によれば、識別マークが裏蓋に設けられた凹部なので、裏蓋における識別マークの位置が確実に特定される。その結果、裏蓋に対向する構造体に設けられた識別部によって確実に識別パターンが読み取られる。したがって、確実に外装の識別が可能となり、外装の種類が異なる場合でも、外装に応じたアラーム駆動信号を用いて十分なアラーム音の音圧が確保される。
【図面の簡単な説明】
【００１６】
【図１】本発明の一実施形態に係る電子時計１００の一部の分解斜視図である。
【図２】電子時計１００の文字盤およびスイッチを示す平面図である。
【図３】電子時計１００の一部の断面および裏蓋を示す図である。
【図４】電子時計１００の回路部を示すブロック図である。
【図５】裏蓋８２の実装面における識別パターンを示す平面図である。
【図６】裏蓋８２の実装面における識別パターンを示す平面図である。
【図７】裏蓋８２の実装面における識別パターンを示す平面図である。
【図８】裏蓋８２の実装面における識別パターンを示す平面図である。
【図９】デザインの異なる外装１と外装２におけるアラーム駆動周波数に対するアラーム音量のピークを示す特性図である。
【図１０】アラーム駆動信号選択回路３３によって選択される４種類のアラーム駆動周波数と、これらのアラーム駆動周波数に対応する識別パターンを示す図である。
【図１１】変形例１の識別マークと識別部を示す図である。
【図１２】変形例２のアラーム駆動信号選択回路３３を示す図である。
【図１３】変形例３のアラーム駆動信号選択回路３３と不揮発性メモリー４０とを示す図である。
【図１４】変形例４における識別マークを示す図である。
【図１５】変形例４における識別マークを示す図である。
【図１６】変形例６におけるケース本体８１の断面図である。
【図１７】変形例６における電子時計１００の一部の断面図である。
【発明を実施するための形態】
【００１７】
以下、この発明の好適な実施の形態を、添付図面等を参照しながら詳細に説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１８】
図１は、電子時計１００の一部の分解斜視図である。図２は、電子時計１００の文字盤およびスイッチを示す平面図である。図３は、電子時計１００の一部の断面および裏蓋を示す図である。図１に例示するように、電子時計１００は、外装８０を備えている。外装８０は、金属で形成されたケース本体８１と、同じく金属で形成された裏蓋８２とを備えている。ケース本体８１は、図３に例示するように、内部が円筒状に形成されており、構造体としてのムーブメント７０を収容する。また、ケース本体８１の上部には、図１に例示するように、セラミックで形成されたベゼル８３がケース本体８１に嵌合されている。なお、本実施形態では、ベゼル８３とケース本体８１は一体に構成するようにしてもよい。裏蓋８２は、スクリュー溝によってケース本体８１に取り付けられる。
【００１９】
ベゼル８３の内周側は、図１に例示するようにカバーガラス８４が設けられている。カバーガラス８４の下方には、図２に例示するように、円盤状の文字板１１が配置され、文字板１１上には、時刻を表示する指針１３が配置されている。指針１３は、時計時針１３ａ、時計分針１３ｂ、秒針１３ｃを含む。また、文字板１１には、アラーム用の小時計１２が設けられている。小時計１２においても、時刻を表示する指針１４が配置されている。指針１４はアラーム時針１４ａと、アラーム分針１４ｂとを含む。
【００２０】
電子時計１００は、図１及び図２に示す竜頭１０と操作ボタン１７を備えている。竜頭１０は、時刻の修正のために用いられる他、後述するアラームの設定の際にも用いられる。操作ボタン１７は、後述するアラームの設定の際に用いられる。本実施形態においては、竜頭１０を引き出す操作および押し込む操作に連動してオン／オフ状態となるスイッチＳ４が設けられている（図４参照）。また、操作ボタン１７を押し込む操作に連動してオン／オフ状態となるスイッチＳ３が設けられている（図４参照）。竜頭１０、操作ボタン１７、スイッチＳ４、およびスイッチＳ３によるアラームの設定の詳細については後述する。
【００２１】
図１および図３に例示するように、裏蓋８２のケース本体８１と対向する側の面（以下、実装面とする。）には、アラーム鳴鐘部Ａの一部としての圧電素子５０が設置されている。圧電素子５０は、両面が金属板で形成された円板状の素子であり、一方の面（以下、圧電素子５０の裏面とする。）は、導電性の接着剤により、裏蓋８２の実装面に直接取り付けられている。圧電素子５０の他方の面（以下、圧電素子５０の表面とする）は、裏蓋８２をケース本体８１にスクリュー溝によって取り付けた際に、図３に例示するアラーム接点５１と接触するように構成されている。アラーム接点５１はムーブメント７０の裏蓋８２との対向面に設けられており、アラーム接点５１には、後述するようにアラーム駆動信号が供給される。本実施形態のアラーム鳴鐘部Ａは、圧電素子５０と、後述するアラーム鳴鐘回路２９により構成される。なお、アラーム鳴鐘部Ａは、アラーム駆動信号に基づいてアラームを鳴らす機能を有するのであれば、どのように構成されてもよい。
【００２２】
図１および図３に例示するように、裏蓋８２の実装面には、圧電素子５０の周囲に同心円状の識別マーク６０，６１が形成されている。本実施形態では、識別マーク６０，６１の有無により、外装の種類を識別するための識別パターンが示される。識別マーク６０，６１は、絶縁部材で形成されており、裏蓋８２の実装面に印刷等により直接設けられる。裏蓋８２をケース本体８１にスクリュー溝によって取り付けた際には、図３に例示するように、識別マーク６０と識別接点Ｓ１とが電気的に接続され，また、識別マーク６１と識別接点Ｓ２が電気的に接続される。識別接点Ｓ１と識別接点Ｓ２は、ムーブメント７０の裏蓋８２との対向面に設けられており、後述するように識別パターンの識別部の一部として機能する。詳しくは後述する。
【００２３】
図３に例示するように、ムーブメント７０の裏蓋８２との対向面には、ＧＮＤ接点５２が設けられている。裏蓋８２をケース本体８１にスクリュー溝によって取り付けた際には、図３に例示するように、圧電素子５０の表面のうち、圧電素子５０と識別マーク６０，６１とが設けられていない領域と電気的に接続される。したがって、裏蓋８２をケース本体８１にスクリュー溝によって取り付けた状態においては、裏蓋８２の実装面の電位はＧＮＤ接点５２によりＧＮＤ電位に設定されている。上述したように、圧電素子５０の裏面は、導電性の接着材により裏蓋８２の実装面に直接接着されているので、圧電素子５０の裏面の電位もＧＮＤ電位に設定されている。したがって、裏蓋８２をケース本体８１に取り付けた状態において、圧電素子５０の表面にアラーム接点５１を介してアラーム駆動信号が供給されると、圧電素子５０はアラーム駆動信号に応じて変位する。アラーム駆動信号は後述するように所定の周波数を有する交流信号なので、圧電素子５０はムーブメント７０に近づく方向およびムーブメント７０から遠ざかる方向に変位して振動する。その結果、圧電素子５０が直接接着されている裏蓋８２が振動板として機能し、アラーム音が鳴るようになっている。
【００２４】
図３に例示する構造体としてのムーブメント７０は、指針軸１５を回転させて複数の指針１３（時計時針１３ａ、時計分針１３ｂおよび秒針１３ｃ）を駆動する駆動機構を備える。また、ムーブメント７０は、図２に例示する指針軸１６を回転させて小時計１２の複数の指針１４（アラーム時針１４ａおよびアラーム分針１４ｂ）を駆動する駆動機構を備える。これらの駆動機構は、例えばステップモーターと歯車などの輪列とを有し、当該ステップモーターが当該輪列を介して指針軸１５，１６を回転させることにより、複数の指針１３，１４を駆動する。
【００２５】
また、ムーブメント７０には、電子時計１００の回路部が設けられている。図４は、電子時計１００の回路部を示すブロック図である。図４に示すように、電子時計１００の回路部は、発振回路２０と、分周回路２１と、秒針駆動回路２２と、秒針駆動モーター２３とを含む。発振回路２０は、３２７６８Ｈｚの周波数の水晶発振回路である。分周回路２１は、発振回路２０の出力を１Ｈｚおよび１／６０Ｈｚに分周する回路である。分周回路２１はスイッチＳ４がオン状態になると、リセットされるようになっている。スイッチＳ４は、竜頭１０を通常の状態から外側（ケース本体８１から離れる側）に一段引き出すとオン状態になるように構成されている。スイッチＳ４がオン状態になると分周回路２１にはＧＮＤ電位が供給される。ＧＮＤ電位が供給された分周回路２１はリセットされ、分周動作を停止させる。そして、竜頭１０を内側（ケース本体８１に近づく側）に押し込んで通常の状態に戻すと、スイッチＳ４はオフ状態になる。スイッチＳ４がオフ状態になると分周回路２１にはＧＮＤ電位からハイインピーダンスの電位に変化するトリガー信号が供給され、分周回路２１は分周動作を開始する。
【００２６】
分周回路２１から出力される１Ｈｚの信号は、秒針駆動回路２２に供給される。秒針駆動回路２２は、１Ｈｚの信号に基づいて、駆動信号を出力する。秒針駆動回路２２から出力される駆動信号は秒針駆動モーター２３に供給され、その結果、秒針駆動モーター２３が駆動される。秒針駆動モーター２３は、歯車などの輪列を介して指針軸１５を回転させ、これによって秒針１３ｃが回転する。時計時針１３ａと時計分針１３ｂは秒針１３ｃと連動して回転するように構成されており、秒針１３ｃの回転に伴って回転する。このようにして、時刻表示が実行されることになる。
【００２７】
図４に例示するように、電子時計１００の回路部は、計時カウンター２４と、一致検出回路２５と、アラーム時刻カウンター２６と、アラームセット回路２７と、アラーム駆動回路２８と、アラーム鳴鐘回路２９を含んでいる。また、電子時計１００の回路部は、アラーム分針駆動回路３０と、アラーム分針駆動モーター３１とを含んでいる。計時カウンター２４は、分周回路２１から出力される１／６０Ｈｚの信号に基づいて、分単位で時刻をカウントするカウンターである。竜頭１０が一段引っ張られてスイッチＳ４がオン状態になるとＧＮＤ電位が計時カウンター２４に供給され、計時カウンター２４はリセットされる。そして、竜頭１０が一段押し込まれてオフ状態になると、ＧＮＤ電位からハイインピーダンスの電位に変化するトリガー信号が計時カウンター２４に供給され、計時カウンター２４はカウント動作を開始する。
【００２８】
一致検出回路２５は、計時カウンター２４の出力と、アラーム時刻カウンター２６との出力を比較して、これらのカウンターが出力するカウンター値が一致した時に、一致信号をアラーム駆動回路２８に出力する。アラーム駆動回路２８は、一致検出回路２５から出力される一致信号をトリガー信号として、後述するアラーム駆動信号選択回路３３によって選択されたアラーム駆動信号をアラーム鳴鐘回路２９に出力する。アラーム鳴鐘部Ａを構成するアラーム鳴鐘回路２９は、駆動用トランジスターと、昇圧コイルと、図３に例示したアラーム接点５１とを備える。アラーム駆動信号がアラーム鳴鐘回路２９の駆動用トランジスターに供給されると、駆動用トランジスターの出力は昇圧コイルによって所定の電圧に昇圧される。そして、昇圧された駆動用トランジスターの出力は、アラーム駆動信号としてアラーム接点５１を介して圧電素子５０の表面に供給される。その結果、圧電素子５０および振動板としての裏蓋８２が振動し、アラーム音が鳴ることになる。
【００２９】
アラーム時刻カウンター２６は、スイッチＳ４がオフ状態にある場合には、アラームセット回路２７から出力されるトリガー信号に基づいて、カウンター値をアップさせる。アラームセット回路２７から出力されるトリガー信号は、操作ボタン１７に対応するスイッチＳ３がオン状態からオフ状態になる度に、出力される信号である。つまり、アラーム時刻カウンター２６は、操作ボタン１７の操作によってセットされるアラーム時刻を記憶させておくためのカウンターである。
【００３０】
アラームセット回路２７は、スイッチＳ４がオフ状態の時にはアラーム時刻のセット処理を行い、スイッチＳ４がオフ状態からオン状態になった時にはアラーム用の小時計１２の時刻合わせを促す処理を行う。アラーム時刻のセット処理と、小時計１２の時刻合わせを促す処理は、操作ボタン１７の押下等に応じて、トリガー信号をアラーム時刻カウンター２６とアラーム分針駆動回路３０に出力する処理である。詳しくは後述する。
【００３１】
アラーム分針駆動回路３０は、アラームセット回路２７から出力される１個のトリガー信号を受け取る毎に、アラーム分針駆動モーター３１を１ステップ駆動させる駆動信号を出力する。
【００３２】
アラーム分針駆動モーター３１は、アラーム分針駆動回路３０から出力される駆動信号を受け取る毎に、指針軸１６を１ステップ駆動させ、小時計１２のアラーム分針１４ｂを１分ずつ駆動させる。
【００３３】
アラーム駆動信号発生回路３２は、発振回路２０の出力を分周して、４種類のアラーム駆動信号を発生させる回路である。本実施形態では、一例として、発振回路２０の出力を７分周、８分周、９分周、および１０分周して、４６８１Ｈｚ、４０９６Ｈｚ、３６４１Ｈｚ、および３２７７Ｈｚの４種類のアラーム駆動信号を発生させる。
【００３４】
識別部およびアラーム駆動信号選択部としてのアラーム駆動信号発生回路３２は、識別接点Ｓ１と識別接点Ｓ２の電位に応じて、アラーム駆動信号発生回路３２から出力される前記４種類のアラーム駆動信号のうちの一つのアラーム駆動信号を選択する。そして、アラーム駆動信号発生回路３２は、選択したアラーム駆動信号をアラーム駆動回路２８に出力する。裏蓋８２の実装面に識別マーク６０と識別マーク６１が形成されている場合（第１識別パターン）には、裏蓋８２をケース本体８１に取り付けることにより、識別マーク６０と識別接点Ｓ１とが電気的に接続され、識別接点Ｓ１の電位はＧＮＤ電位となる。また、識別マーク６１と識別接点Ｓ２とが電気的に接続され、識別接点Ｓ２の電位はＧＮＤ電位となる。図４には説明の便宜のために識別マーク６０，６１と識別接点Ｓ１，Ｓ２とがスイッチにより接続または不接続となるように記載しているが、本実施形態では実際にスイッチが設けられている訳ではない。但し、スイッチを設けてもよい。裏蓋８２の実装面に識別マーク６０のみが形成されている場合（第２識別パターン）には、裏蓋８２をケース本体８１に取り付けることにより、識別マーク６０と識別接点Ｓ１とが電気的に接続され、識別接点Ｓ１の電位はＧＮＤ電位となる。しかし、識別接点Ｓ２は電気的に開放の状態なので、識別接点Ｓ２の電位はハイインピーダンスの電位となる。裏蓋８２の実装面に識別マーク６１のみが形成されている場合（第３識別パターン）には、裏蓋８２をケース本体８１に取り付けることにより、識別マーク６１と識別接点Ｓ２とが電気的に接続され、識別接点Ｓ２の電位はＧＮＤ電位となる。しかし、識別接点Ｓ１は電気的に開放の状態なので、識別接点Ｓ１の電位はハイインピーダンスの電位となる。裏蓋８２の実装面にいずれの識別マークも形成されていない場合（第４識別パターン）には、裏蓋８２をケース本体８１に取り付けても、識別接点Ｓ１と識別接点Ｓ２はいずれも電気的に開放の状態となる。したがって、識別接点Ｓ１と識別接点Ｓ２の電位はいずれもハイインピーダンスの電位となる。以上のように、アラーム駆動信号発生回路３２は、識別接点Ｓ１と識別接点Ｓ２の電位に応じて、第１識別パターン〜第４識別パターンを識別する識別部として機能すると共に、識別パターンに応じてアラーム駆動信号を選択するアラーム信号選択部として機能する。詳しくは後述する。
【００３５】
以上のような回路部におけるアラーム設定動作と、アラーム鳴鐘動作について説明する。まず、竜頭１０が引き出されておらず通常位置にある場合には、スイッチＳ４がオフ状態となる。スイッチＳ４がオフ状態の時には、アラームセット回路２７は、操作ボタン１７が押下される毎にアラーム時刻のセット処理を行う。操作ボタン１７が押下されると、スイッチＳ３がオフ状態からオン状態になり、アラームセット回路２７のスイッチＳ３との接続部の電位は、ハイインピーダンスの電位からＧＮＤ電位に変化する。アラームセット回路２７は、この電位の変化を検出すると、トリガー信号をアラーム時刻カウンター２６とアラーム分針駆動回路３０に出力する。アラームセット回路２７は、操作ボタン１７が押下される毎にこの動作を繰り返す。アラーム分針駆動回路３０は、トリガー信号が供給される毎にアラーム分針１４ｂを１分ずつ進めるように駆動させ、アラーム時刻カウンター２６は、トリガー信号が供給される毎にカウンター値をアップさせる。このようにして、ユーザーは所望のアラーム時刻になるまで操作ボタン１７を押下し、アラーム時刻をセットする。
【００３６】
以上のようにしてアラーム時刻のセットが行われた後、ユーザーによって竜頭１０が一段引き出されると、スイッチＳ４がオン状態となる。アラームセット回路２７は、スイッチＳ４がオン状態になったことを検出すると、アラーム用の小時計１２の時刻合わせを促す処理を行う。但し、小時計１２の時刻合わせを促す処理は、計時カウンター２４のカウンター値が示す時刻と、電子時計１００が示す現在の時刻とにずれが生じている場合に行う処理である。小時計１２の時刻合わせを一度行った後には、通常は前記時刻のずれは生じないが、何等かの事情、例えば電池の交換等により、前記時刻のずれが生じることがある。そこで、本実施形態では小時計１２の時刻合わせを促す処理を行う。アラームセット回路２７は、スイッチＳ４がオン状態になったことを検出すると、アラーム時刻カウンター２６のカウンター値と、計時カウンター２４のカウンター値を読み込む。そして、アラームセット回路２７は、これらのカウンター値の差分を算出し、算出した差分に応じた数のトリガー信号をアラーム分針駆動回路３０に出力する。なお、このトリガー信号は、時刻を戻す方向にアラーム分針１４ｂを駆動させる信号となっている。その結果、アラーム分針駆動回路３０はトリガー信号に応じてアラーム分針１４ｂを１分ずつ戻す方向に駆動させるので、アラーム分針１４ｂは、計時カウンター２４のカウンター値に対応した時刻を表示する位置に移動する。
【００３７】
例えば、図２に示す１０時０８分の状態から、アラーム時刻を１０時３０分にセットしたとすると、前記時刻のずれがない場合には、前記差分は２２分となる。アラームセット回路２７は、２２分に対応させてトリガー信号をアラーム分針駆動回路３０に２２回出力することにより、アラーム分針１４ｂは３０分の位置から図２のように８分の位置に移動する。この状態においては、時計時針１３ａおよび時計分針１３ｂが示す時刻と、アラーム時針１４ａおよびアラーム分針１４ｂが示す時刻が一致しているため、ユーザーは、前記時刻のずれが生じていないことを理解することができる。したがって、小時計１２の時刻合わせは行わない。
【００３８】
しかし、仮に前記時刻のずれが生じており、計時カウンター２４のカウンター値に対応した時刻が１０時００分であったとすると、前記差分は３０分となる。アラームセット回路２７は、３０分に対応させてトリガー信号をアラーム分針駆動回路３０に３０回出力することにより、アラーム分針１４ｂは３０分の位置から０分の位置に移動する。この状態においては、時計時針１３ａおよび時計分針１３ｂが示す時刻は１０時０８分であり、アラーム時針１４ａおよびアラーム分針１４ｂが示す時刻は１０時００分となる。したがって、ユーザーは、前記時刻のずれが生じていることを理解することができる。そこで、ユーザーは、操作ボタン１７を押下して、アラーム分針１４ｂの位置を時計分針１３ｂの位置に合わせる処理を行う。アラームセット回路２７は、操作ボタン１７が押下の回数、即ち、スイッチＳ３がオフ状態からオン状態になったことを検出した回数に応じて、トリガー信号をアラーム分針駆動回路３０に出力する。その結果、アラーム分針１４ｂは操作ボタン１７の押下の回数に応じて１分ずつ進むように駆動され、時計分針１３ｂの位置に合うことになる。アラームセット回路２７は、操作ボタン１７の押下の回数に応じて、計時カウンター２４のカウンター値を修正する。上記の例の場合には、計時カウンター２４のカウンター値を、１０時０８分に対応する値に修正する。
【００３９】
ユーザーは、以上のようにして前記時刻のずれが生じていないことを確認した後、あるいは、小時計１２の時刻合わせを行った後に、竜頭１０を一段押し込んで通常の位置に戻すと、スイッチＳ４がオン状態からオフ状態に変化する。アラームセット回路２７は、再び計時カウンター２４のカウンター値とアラーム時刻カウンター２６のカウンター値とを読み取り、これらのカウンター値の差分を算出する。例えば、上述の例では、差分は２２分となる。アラームセット回路２７は、差分に応じてアラーム分針駆動回路３０にトリガー信号を出力する。上述の例では、アラームセット回路２７は、２２分に対応させてトリガー信号をアラーム分針駆動回路３０に２２回出力することにより、アラーム分針１４ｂは８分の位置から３０分の位置に移動する。このようにして、小時計１２は、ユーザーによってセットされたアラーム時刻を表示することになる。また、竜頭１０を一段押し込んで通常の位置に戻すことにより、スイッチＳ４がオン状態からオフ状態に変化し、分周回路２１の分周動作が開始され、計時カウンター２４の計時動作が開始される。
【００４０】
以上のようにして電子時計１００が動作を開始し、計時カウンター２４のカウンター値がアラーム時刻カウンター２６のカウンター値に一致したことを一致検出回路２５が検出すると、一致検出回路２５は一致信号をアラーム駆動回路２８に出力する。アラーム駆動回路２８はアラーム駆動信号選択回路３３によって選択されたアラーム駆動信号を用いてアラーム鳴鐘回路２９を駆動する。その結果、圧電素子５０に昇圧されたアラーム駆動信号が供給され、裏蓋８２を振動板としてアラーム音が所定期間鳴ることになる。
【００４１】
次に、本実施形態における識別パターンおよびアラーム駆動信号の選択処理について説明する。図５ないし図８は、本実施形態における裏蓋８２の実装面における識別パターンを示す平面図である。図５に示すように、本実施形態においては、外装の内側の一例としての裏蓋８２には識別マーク部６５が設けられている。より詳細には、裏蓋８２の実装面の圧電素子５０が設けられた領域よりも裏蓋８２の半径方向の外側には、同心円状に形成された円環部６５ａ，６５ｂを有する識別マーク部６５が設けられている。識別マーク部６５は、内径がＲ２の円環部６５ａと、内径がＲ２よりも小さいＲ１の円環部６５ｂとを備えている。図５においては、理解を容易にするために、識別マーク部６５を点線で示しているが、点線は識別マーク部６５として用いられる領域を示しているだけである。つまり、図５においては、点線で示している部分に何等かの部材が設けられている訳ではない。このように、本実施形態においては、識別マーク部６５に識別マークが設けられていない場合も一つの識別パターンとして識別するようになっている。
【００４２】
図６は、識別マーク部６５の円環部６５ａに絶縁部材で形成された識別マーク６０が設けられ、識別マーク部６５の円環部６５ｂに絶縁部材で形成された識別マーク６１が設けられた第１識別パターンの例を示している。図７は、識別マーク部６５の円環部６５ａに絶縁部材で形成された識別マーク６０が設けられ、識別マーク部６５の円環部６５ｂには識別マーク６１が設けられていない第２識別パターンの例を示している。図８は、識別マーク部６５の円環部６５ｂに絶縁部材で形成された識別マーク６１が設けられ、識別マーク部６５の円環部６５ａには識別マークが設けられていない第３識別パターンの例を示している。そして、図５は、識別マーク部６５の円環部６５ａ，６５ｂのいずれにも識別マークが設けられていない第４識別パターンの例を示している。
【００４３】
図３に例示されるように、識別接点Ｓ１と識別接点Ｓ２は、裏蓋８２をケース本体８１に取り付けた際に、識別マーク部６５の円環部６５ａ，６５ｂに接触する位置に設けられている。識別マーク部６５は同心円状の円環部６５ａ，６５ｂにより構成されるため、裏蓋８２をスクリュー溝によりケース本体８１に取り付ける構成であっても、識別接点Ｓ１および識別接点Ｓ２と円環部６５ａ，６５ｂとの位置はずれることがない。したがって、確実に識別接点Ｓ１および識別接点Ｓ２と円環部６５ａ，６５ｂに形成される識別マークあるいは裏蓋８２の実装面とを電気的に接続させることが可能となる。
【００４４】
圧電素子５０により振動板としての裏蓋８２を振動させてアラーム音を鳴らす構成においては、アラームの音量は、圧電素子５０に供給されるアラーム駆動信号のアラーム駆動周波数と、裏蓋８２を含めた外装の共振周波数とを近づけるほど大きくなる。裏蓋８２を含めた外装の共振周波数は、外装のデザイン等によって異なる。図９は、一例として、デザインの異なる外装１と外装２におけるアラーム駆動周波数に対するアラーム音量のピークを示す特性図である。図９に示すように、外装１に対しては、４０９６Ｈｚのアラーム駆動周波数で駆動した場合には、十分なアラーム音量が得られるが、４６８１Ｈｚのアラーム駆動周波数で駆動した場合には、十分なアラーム音量が得られない。同様に、外装２に対しては、４６８１Ｈｚのアラーム駆動周波数で駆動した場合には、十分なアラーム音量が得られるが、４０９６Ｈｚのアラーム駆動周波数で駆動した場合には、十分なアラーム音量が得られない。
【００４５】
そこで、本実施形態においては、複数種類の外装について、十分なアラーム音量が確保できるアラーム駆動周波数を予め測定しておき、各外装に適したアラーム駆動周波数を４種類に分類する。そして、各アラーム駆動周波数に対応する外装を、上述した識別マーク部６５により示される識別パターンにより識別するように構成した。図１０は、本実施形態のアラーム駆動信号選択回路３３によって選択される４種類のアラーム駆動周波数と、これらのアラーム駆動周波数に対応する識別パターンを示す図である。４６８１Ｈｚ、４０９６Ｈｚ、３６４１Ｈｚ、３２７７Ｈｚの４種類のアラーム駆動周波数を有するアラーム駆動信号は、アラーム駆動信号発生回路３２によって発振回路２０の出力を７分周、８分周、９分周、１０分周することにより発生させる。本実施形態では、４６８１Ｈｚのアラーム駆動周波数に適した外装を構成する裏蓋８２には第１識別パターンを示すように識別マーク部６５に識別マーク６０と識別マーク６１を形成する。４０９６Ｈｚのアラーム駆動周波数に適した外装を構成する裏蓋８２には第２識別パターンを示すように識別マーク部６５に識別マーク６１を形成する。３６４１Ｈｚのアラーム駆動周波数に適した外装を構成する裏蓋８２には第３識別パターンを示すように識別マーク部６５に識別マーク６０を形成する。３２７７Ｈｚのアラーム駆動周波数に適した外装を構成する裏蓋８２には第４識別パターンを示すように識別マーク部６５に識別マークを形成しない。
【００４６】
裏蓋８２に第１識別パターンを示す識別マーク６０と識別マーク６１を形成した場合には、裏蓋８２をケース本体８１に取り付けると、識別接点Ｓ１と識別マーク６０が電気的に接続され、識別接点Ｓ２と識別マーク６１が電気的に接続される。識別マーク６０と識別マーク６１は絶縁部材で形成されているため、識別接点Ｓ１と識別接点Ｓ２の電位はハイインピーダンスの電位となる。アラーム駆動信号選択回路３３は、識別接点Ｓ１と識別接点Ｓ２の電位がハイインピーダンスの電位であることを検出すると、アラーム駆動信号として、４６８１Ｈｚのアラーム駆動周波数を有する信号を発生させる。第１識別パターンが示された裏蓋８２が使用される電子時計１００の圧電素子５０には、４６８１Ｈｚのアラーム駆動周波数を有するアラーム駆動信号が供給される。その結果、十分なアラーム音量が得られることになる。
【００４７】
裏蓋８２に第２識別パターンを示す識別マーク６１を形成した場合には、裏蓋８２をケース本体８１に取り付けると、識別接点Ｓ１と裏蓋８２の実装面が電気的に接続され、識別接点Ｓ２と識別マーク６１が電気的に接続される。裏蓋８２の実装面の電位はＧＮＤ接点５２によりＧＮＤ電位に設定されているため、識別接点Ｓ１の電位はＧＮＤ電位となる。識別マーク６１は絶縁部材で形成されているため、識別接点Ｓ２の電位はハイインピーダンスの電位となる。アラーム駆動信号選択回路３３は、識別接点Ｓ１がＧＮＤ電位であり、識別接点Ｓ２の電位がハイインピーダンスの電位であることを検出すると、アラーム駆動信号として、４０９６Ｈｚのアラーム駆動周波数を有する信号を発生させる。第２識別パターンが示された裏蓋８２が使用される電子時計１００の圧電素子５０には、４０９６Ｈｚのアラーム駆動周波数を有するアラーム駆動信号が供給される。その結果、十分なアラーム音量が得られることになる。
【００４８】
裏蓋８２に第３識別パターンを示す識別マーク６０を形成した場合には、裏蓋８２をケース本体８１に取り付けると、識別接点Ｓ１と識別マーク６０が電気的に接続され、識別接点Ｓ２と裏蓋８２の実装面が電気的に接続される。識別マーク６０は絶縁部材で形成されているため、識別接点Ｓ１の電位はハイインピーダンスの電位となる。裏蓋８２の実装面の電位はＧＮＤ接点５２によりＧＮＤ電位に設定されているため、識別接点Ｓ２の電位はＧＮＤ電位となる。アラーム駆動信号選択回路３３は、識別接点Ｓ１の電位がハイインピーダンスの電位であり、識別接点Ｓ２がＧＮＤ電位であることを検出すると、アラーム駆動信号として、３６４１Ｈｚのアラーム駆動周波数を有する信号を発生させる。第３識別パターンが示された裏蓋８２が使用される電子時計１００の圧電素子５０には、３６４１Ｈｚのアラーム駆動周波数を有するアラーム駆動信号が供給される。その結果、十分なアラーム音量が得られることになる。
【００４９】
裏蓋８２に第４識別パターンを示すように識別マークを形成しない場合には、裏蓋８２をケース本体８１に取り付けると、識別接点Ｓ１と識別接点Ｓ２は裏蓋８２の実装面と電気的に接続される。裏蓋８２の実装面の電位はＧＮＤ接点５２によりＧＮＤ電位に設定されているため、識別接点Ｓ１，Ｓ２の電位はＧＮＤ電位となる。アラーム駆動信号選択回路３３は、識別接点Ｓ１，Ｓ２の電位がＧＮＤ電位であることを検出すると、アラーム駆動信号として、３２７７Ｈｚのアラーム駆動周波数を有する信号を発生させる。第４識別パターンが示された裏蓋８２が使用される電子時計１００の圧電素子５０には、３２７７Ｈｚのアラーム駆動周波数を有するアラーム駆動信号が供給される。その結果、十分なアラーム音量が得られることになる。
【００５０】
以上のように本実施形態は、外装に応じた識別パターンを示す識別マーク部を外装の内側の一例としての裏蓋に設け、識別パターンを識別部により識別し、識別パターンに基づいて、複数のアラーム駆動信号のうちの一のアラーム駆動信号を選択するように構成した。したがって、外装の種類が異なる場合でも十分なアラーム音の音量を確保することができる。また、本実施形態においては、音圧センサー等を設ける必要がないので、構造を複雑にすることなく、外装の種類が異なる場合でも十分なアラーム音の音量を確保することができる。また、本実施形態は、音圧センサー等によってアラーム音を測定してアラーム駆動周波数を調整する構成ではないので、同種の外装であればアラーム駆動周波数を一定に保つ。したがって、同種の外装であるにも拘わらずアラーム駆動周波数が変化するという不自然さを防止することができる。
【００５１】
本実施形態によれば、識別パターンの識別部とアラーム駆動信号選択部をムーブメント７０の回路部に設けたので、単一のムーブメント７０により、複数の種類の外装に対応できるため、コストを削減することが可能になる。
【００５２】
＜変形例＞
以上に説明した実施形態は多様に変形され得る。具体的な変形の態様を以下に例示する。以下の例示から任意に選択された２以上の態様は、相互に矛盾しない範囲内で適宜に併合され得る。
【００５３】
＜変形例１＞
上述した実施形態においては、絶縁部材で形成された識別マーク６０，６１または裏蓋８２の実装面と、識別接点Ｓ１および識別接点Ｓ２との電気的な接続により、識別パターンを識別する構成について説明した。しかし、本発明はこの構成に限定される訳ではなく、識別マーク６０，６１として光学的性質が異なる識別マークを裏蓋８２の実装面に設け、ムーブメント７０には、識別部としてフォトリフレクター等の光学的識別部を設けてもよい。図１１は変形例１の識別マークと識別部を示す図である。図１１に示すように、変形例１では、識別マーク６０，６１として例えば黒色のマークを裏蓋８２の実装面に印刷する。黒色の識別マーク６０，６１は識別部としてのフォトリフレクター９０，９１からの光を吸収する。しかし、識別マーク６０，６１を設けない場合には、裏蓋８２の実装面がフォトリフレクター９０，９１からの光を反射するので、識別部としてのフォトリフレクター９０，９１は光学的性質が異なる識別マークにより識別パターンを識別可能となる。この場合も、構造を複雑にすることなく、識別パターンにより外装の種類を識別することができる。なお、光学的性質が異なる識別マークは、上述のように例に限定される訳ではなく、グレイスケールやリニアスケール等のマークを用いてもよい。
【００５４】
＜変形例２＞
上述した実施形態においては、識別接点Ｓ１および識別接点Ｓ２とアラーム駆動信号選択回路３３の接続部とを電気的な接続し、識別パターンを識別する構成について説明した。しかし、本発明はこの構成に限定される訳ではなく、アラーム駆動信号選択回路３３をＩＣ等により構成し、アラーム駆動信号選択回路３３に、外装に応じた電位が与えられるボンディングオプション用端子９２，９３を備えるようにしてもよい。図１２は変形例２のアラーム駆動信号選択回路３３を示す図である。図１２に示すように、アラーム駆動信号選択回路３３は、ボンディングオプション用端子９２とボンディングオプション用端子９３を備えている。このように構成した場合には、ボンディングオプション用端子９２とボンディングオプション用端子９３の電位を外装に応じて設定することにより、上述した識別パターンと同様に外装の識別が可能となる。例えば、ボンディングオプション用端子９２，９３の両方を開放とした場合には上述した第１識別パターンとする。また、ボンディングオプション用端子９２にＧＮＤ電位を与え，ボンディングオプション用端子９３を開放とした場合には上述した第２識別パターンとする。さらに、ボンディングオプション用端子９３を開放とし、ボンディングオプション用端子９３にＧＮＤ電位を与えた場合には上述した第３識別パターンとする。そして、ボンディングオプション用端子９２，９３の両方にＧＮＤ電位を与えた場合には上述した第４識別パターンとする。このように、ボンディングオプション用端子９２，９３を用いても、外装の種類を識別することが可能となる。この場合も、構造を複雑にすることなく、外装の種類を識別することができる。
【００５５】
＜変形例３＞
上述した実施形態においては、絶縁部材で形成された識別マーク６０，６１または裏蓋８２の実装面と、識別接点Ｓ１および識別接点Ｓ２との電気的な接続により、識別パターンを識別する構成について説明した。しかし、本発明はこの構成に限定される訳ではなく、ムーブメント７０に不揮発メモリーのチップを取り付け、不揮発メモリーとアラーム駆動信号選択回路３３とを電気的に接続させてもよい。図１３は変形例３のアラーム駆動信号選択回路３３と不揮発性メモリー４０とを示す図である。図１３に示すように、アラーム駆動信号選択回路３３と不揮発性メモリー４０とは、数本の制御線４１により接続されている。図１３においては、例示として２本の制御線４１を記載しているが、制御線４１の数は必要に応じて適宜変更可能である。不揮発メモリー４０には、予め外装の種類に応じた識別データを書き込む。識別データは、上述した識別パターンと同様に、外装に応じたデータであればよい。そして、アラーム駆動信号選択回路３３により、不揮発メモリー４０に書き込まれた識別データを読み出すことにより、外装の種類を識別することが可能となる。この場合も、構造を複雑にすることなく、外装の種類を識別することができる。
【００５６】
＜変形例４＞
上述した実施形態においては、絶縁部材で形成された識別マーク６０，６１を裏蓋８２の実装面に印刷等により形成する構成について説明した。しかし、本発明はこのような構成に限定される訳ではなく、裏蓋８２の実装面を加工して、実装面の凸部または凹部によって識別マークを表すようにしてもよい。図１４および図１５は変形例４における識別マークを示す図である。図１４に示す例では、裏蓋８２の実装面に凸部を形成し、凸部を識別マーク６０，６１として用いている。また、図１５に示す例では、裏蓋８２の実装面に凹部を形成し、凹部を識別マーク６０，６１として用いている。この場合も、構造を複雑にすることなく、識別パターンにより外装の種類を識別することができる。
【００５７】
＜変形例５＞
上述した実施形態では、アラーム駆動信号発生回路３２により発信回路２０の出力を分周して４種類のアラーム駆動信号を発生させ、アラーム駆動信号選択回路３３により、そのうちの一つのアラーム駆動信号を選択する構成について説明した。しかし、本発明はこの構成に限定されものではなく、アラーム駆動信号発生回路３２を記憶回路と分周回路により構成し、記憶回路に複数のアラーム駆動周波数に対応する分周比を記憶させておいてもよい。この場合には、記憶回路から読み取ったアラーム駆動周波数に対応する分周比に基づいて、分周回路により発振回路２０の出力を分周すればよい。
【００５８】
＜変形例６＞
上述した実施形態では、外装の内部の一例として、裏蓋８２の実装面に識別マーク部６５を設けた構成について説明した。しかし、本発明はこの構成に限定される訳ではなく、例えば、外装の内部の他の例として、ケース本体８１の内面に識別マーク部６５を設けてもよい。図１６は変形例６におけるケース本体８１の断面図である。図１７は変形例６における電子時計１００の一部の断面図である。図１６に示すように、本変形例では、ケース本体８１におけるムーブメント７０の収容部の内面に識別マーク部６５を設ける。ケース本体８１におけるムーブメント７０の収容部は円筒状に形成されており、識別マーク部６５の円環部６５ａと円環部６５ｂは、この収容部の内周面に設けられる。図１６に示す例では、円環部６５ａに絶縁部材で形成された識別マーク６０が形成され、円環部６５ｂに絶縁部材で形成された識別マーク６１が形成されている。図１７に示すように、本変形例では、円筒状に形成されたムーブメント７０の外周面に、識別接点Ｓ１と識別接点Ｓ２が設けられる。ケース本体８１におけるムーブメント７０の収容部にムーブメント７０を収容することにより、識別接点Ｓ１および識別接点Ｓ２と識別マーク６０および識別マーク６１がそれぞれ電気的に接続する。識別マーク６０，６１がケース本体８１の内周面に設けられていない場合には、識別接点Ｓ１，Ｓ２とケース本体８１の内周面とが電気的に接続される。ケース本体８１の内周面は、ＧＮＤ接点５２および裏蓋８２を介してＧＮＤ電位に設定される。したがって、本変形例においても、上述した実施形態と同様に、識別マーク部６５において示される識別パターンを識別することができる。なお、光学的性質の異なる識別マークをケース本体８１の内周面に形成するようにしてもよい。この場合には、ムーブメント７０の識別部には光学的に前記識別マークの有無を識別する光学的識別部を採用すればよい。
【符号の説明】
【００５９】
１０…竜頭、１１…文字板、１２…小時計、１３…指針、１３ａ…時計時針、１３ｂ…時計分針、１３ｃ…秒針、１４…指針、１４ａ…アラーム時針、１４ｂ…アラーム分針、１５…指針軸、１６…指針軸、１７…操作ボタン、２０…発振回路、２１…分周回路、２２…秒針駆動回路、２３…秒針駆動モーター、２４…計時カウンター、２５…一致検出回路、２６…アラーム時刻カウンター、２７…アラームセット回路、２８…アラーム駆動回路、２９…アラーム鳴鐘回路、３０…アラーム分針駆動回路、３１…アラーム分針駆動モーター、３２…アラーム駆動信号発生回路、３３…アラーム駆動信号選択回路、４０…不揮発メモリー、５０…圧電素子、５１…アラーム接点、５２…ＧＮＤ接点、６０…識別マーク、６１…識別マーク、６５…識別マーク部、６５ａ…円環部、６５ｂ…円環部、７０…ムーブメント、８０…外装、８１…ケース本体、８２…裏蓋、８３…ベゼル、８４…カバーガラス、９０…フォトリフレクター、９１…フォトリフレクター、９２…ボンディングオプション用端子、９３…ボンディングオプション用端子、１００…電子時計、Ｓ１…識別接点、Ｓ２…識別接点、Ｓ３…スイッチ、Ｓ４…スイッチ、Ａ…アラーム鳴鐘部。
【図１】
2017173086.tif 000003
【図２】
2017173086.tif 000004
【図３】
2017173086.tif 000005
【図４】
2017173086.tif 000006
【図５】
2017173086.tif 000007
【図６】
2017173086.tif 000008
【図７】
2017173086.tif 000009
【図８】
2017173086.tif 000010
【図９】
2017173086.tif 000011
【図１０】
2017173086.tif 000012
【図１１】
2017173086.tif 000013
【図１２】
2017173086.tif 000014
【図１３】
2017173086.tif 000015
【図１４】
2017173086.tif 000016
【図１５】
2017173086.tif 000017
【図１６】
2017173086.tif 000018
【図１７】
2017173086.tif 000019